(57)【要約】【課題】コンクリート構造物の構築時の型枠設置作業における作業者の負担をより軽減することができ、しかも、嵩上げ施工のコンクリート厚が変わっても容易に対応できるコンクリート構造物の構築工法とそれに使用するセパレータ支持具を提供すること。【解決手段】セパレータ支持具１０は、コンクリート構造物４０の上面から突出した鉄筋４１に装着され、対向する型枠板４２、４３の間隔を保持して固定するためのセパレータ２０、３０を支持するセパレータ支持手段１２、１３を有する。コンクリート構造物の構築工法は、鉄筋４１にセパレータ支持具１０を装着する工程と、セパレータ支持具１０にセパレータ２０、３０を支持させる工程と、セパレータ２０、３０に型枠板４２、４３を対向させて固定する工程と、対向する型枠板４２、４３間に形成された空隙部にコンクリートを打設する工程とを含む。【選択図】図２
2005023784.tif 000002
【特許請求の範囲】
【請求項１】
コンクリート構造物の上面から突出した鉄筋に装着され、対向する型枠板の間隔を保持して固定するためのセパレータを支持するセパレータ支持手段を有するセパレータ支持具。
【請求項２】
セパレータ支持手段がねじ機構からなる請求項１に記載のセパレータ支持具。
【請求項３】
請求項１又は２に記載のセパレータ支持具を使用したコンクリート構造物の構築工法であって、
コンクリート構造物の上面から突出した鉄筋にセパレータ支持具を装着する工程と、
前記セパレータ支持具にセパレータを支持させる工程と、
前記セパレータに型枠板を対向させて固定する工程と、
対向する型枠板間に形成された空隙部にコンクリートを打設する工程とを含むコンクリート構造物の構築工法。
【発明の詳細な説明】
【技術分野】
【０００１】
本発明は、コンクリートを用いて構築される擁壁、側溝、ボックスカルバート等のコンクリート構造物の構築施工時に使用するセパレータ支持具とそれを使用したコンクリート構造物の構築工法に関する。
【背景技術】
【０００２】
コンクリート構造物の現場施工にあたっては、一旦コンクリートを打設した後、あるいは既製のプレキャスト品を設置した後に、施工現場の傾斜や高低差に応じてコンクリート構造物を嵩上げして高さを調整する嵩上げ施工が必要となることがある。例えば、土砂崩れなどを防ぐために道路に沿って擁壁を構築する場合、プレキャストのＬ型擁壁を設置後、Ｌ型擁壁の上端部が道路の傾斜に沿って直線的に形成されるよう、現場でその上端部にコンクリートを打設する嵩上げ施工を行っている。
【０００３】
従来、嵩上げ施工に際しては、図１２に示すように、２枚の型枠板４２、４３をセパレータ５０で連結することで所定間隔で対向配置して１セットの型枠を形成し、この１セットの型枠をコンクリート構造物４０の上端部に配置して型枠内にコンクリートを打設している。
【０００４】
しかし、２枚の型枠板からなる型枠は重量物であり、それをコンクリート構造物の上端部まで持ち上げて設置する作業は重労働である。とくに、上述のようにＬ型擁壁を道路に沿って配置した後の嵩上げ施工では、例えば、図１３に示すように、長手方向に沿って多数の型枠を設置する必要があるので、作業者への負担は非常に大きいものである。
【０００５】
これに対して、特許文献１には、コンクリート構造物の上端部に立設される差筋に型枠固定金具を挿着し、この型枠固定金具の左右の両側面に型枠板を固定して嵩上げ施工を行うコンクリート構造物の構築工法が開示されている。特許文献１の構築工法によれば、型枠固定金具を使用することで、型枠板を１枚ずつ設置して型枠を形成することはできる。
【特許文献１】特開２００２−６１３２０号公報
【発明の開示】
【発明が解決しようとする課題】
【０００６】
しかしながら、特許文献１の構築工法では、型枠固定金具の左右の両側面に型枠板を固定するようにしたことから、その型枠板を安定させるために型枠固定金具を差筋に固定する必要がある。したがって、型枠固定金具を差筋に挿通した後、差筋の雄ねじ部にナットを螺合して型枠固定金具を固定する作業が必要である。さらに、型枠固定金具の左右の両側面に型枠板を固定する際もボルト・ナットを使用するため、その作業に手間がかかり、作業者の負担は依然として大きくなる。
【０００７】
また、特許文献１の構築工法では、型枠を構成する２枚の型枠板の間隔は、型枠固定金具の幅によって一義的に決まるので、嵩上げ施工のコンクリート厚に応じて複数の型枠固定金具を用意する必要があり、不経済である。
【０００８】
そこで、本発明が解決しようとする課題は、コンクリート構造物の構築時の型枠設置作業における作業者の負担をより軽減することができ、しかも、構築するコンクリート構造物のコンクリート厚が変わっても容易に対応できるコンクリート構造物の構築工法とそれに使用するセパレータ支持具を提供することにある。
【課題を解決するための手段】
【０００９】
本発明のセパレータ支持具は、コンクリート構造物の上面から突出した鉄筋に装着され、対向する型枠板の間隔を保持して固定するためのセパレータを支持するセパレータ支持手段を有するものである。
【００１０】
本発明のセパレータ支持具において、セパレータ支持手段は、ねじ機構とすることができる。
【００１１】
本発明のコンクリート構造物の構築工法は、コンクリート構造物の上面から突出した鉄筋にセパレータ支持具を装着する工程と、前記セパレータ支持具にセパレータを支持させる工程と、前記セパレータに型枠板を対向させて固定する工程と、対向する型枠板間に形成された空隙部にコンクリートを打設する工程とを含むものである。
【発明の効果】
【００１２】
本発明のセパレータ支持具は鉄筋への装着が容易であり、また、これを使用することで、コンクリート構造物の構築時の型枠設置作業において型枠板を１枚ずつ設置できるので、作業者の負担をより軽減することできる。さらに、構築するコンクリート構造物のコンクリート厚が変わっても、セパレータの長さを変更するだけで、容易に対応できる。
【発明を実施するための最良の形態】
【００１３】
以下、本発明のセパレータ支持具をＬ型擁壁の嵩上げ施工に適用した実施例によって、本発明の実施の形態を説明する。
【００１４】
図１は本発明のセパレータ支持具の一実施例を示し、（ａ）は斜視図、（ｂ）は（ａ）のＡ−Ａ断面図である。図２は図１のセパレータ支持具の使用状態を示す断面図である。
【００１５】
図面に示すセパレータ支持具１０は、コンクリート構造物としてのＬ型擁壁４０の上面から突出した鉄筋４１に挿通させるため、その中心に挿通孔１１が開けられており、全体として円筒状に形成されている。そして、その周面には後述するセパレータ２０の全ねじのセパレータロッド２１の一端を螺着するねじ孔１２とセパレータ３０のセパレータロッド３１の雄ねじ部３１ａを螺着するねじ孔１３がセパレータ支持手段として設けられている。この２つのねじ孔１２、１３は、セパレータ支持具１０の円周方向に１８０度の間隔をおいてそれぞれ対向するように設けられている。
【００１６】
セパレータ２０は、図３（ａ）に示すように、全ねじのセパレータロッド２１と、このセパレータロッド２１に螺着されるコーン２２と、コーン２２から突出したセパレータロッド２１に螺着される緊結具２３とからなる。
【００１７】
セパレータ３０は、図３（ｂ）に示すように、セパレータロッド３１と、このセパレータロッド３１の他端側の雄ねじ部３１ｂとセパレータロッド３１の本体部分との境界部に固着された座金３２と、セパレータロッド３１の雄ねじ部３１ｂに螺着される緊結具３３とからなる。
【００１８】
以下、本発明のセパレータ支持具を使用したＬ型擁壁（コンクリート構造物）の構築工法の手順について説明する。図４〜図７は、構築工法の各過程を示す説明図である。
【００１９】
図４に示すように、Ｌ型擁壁４０の上面には、その長手方向に沿って所定間隔で複数の鉄筋４１が突出しており、まず、これらの鉄筋４１にセパレータ支持具１０の挿通孔１１を挿通させ装着する。セパレータ支持具１０は、Ｌ型擁壁４０の長手方向に沿って突出しているすべての鉄筋４１に装着しても良いし、例えば１つおきに装着するようにしても良い。
【００２０】
次に、図５に示すように、コーン２２に螺着された全ねじのセパレータロッド２１の一端をセパレータ支持具１０のねじ孔１２に螺着し、セパレータロッド２１をセパレータ支持具１０に支持させる。その状態で、図２及び図６に示すように、コーン２２から突出したセパレータロッド２１の他端に型枠板４２の取付孔を挿通させ、型枠板４２から突出したセパレータロッド２１の他端に緊結具２３の基端部に設けたねじ孔を螺着させ締め付ける。これによって、Ｌ型擁壁４０の前面側の型枠板４２がセパレータ２０のコーン２２と緊結具２３との間で挟持され、Ｌ型擁壁４０の前面に密着した状態で固定される。
【００２１】
次に、Ｌ型擁壁４０の後面側の型枠板４３を固定するため、図２及び図７に示すように、まず、セパレータロッド３１の一端側の雄ねじ部３１ａをセパレータ支持具１０のねじ孔１３に螺着し、セパレータロッド３１をセパレータ支持具１０に支持させる。その状態で、セパレータロッド３１の他端側の雄ねじ部３１ｂに型枠板４３の取付孔を挿通させる。そして、型枠板４３から突出したセパレータロッド３１の雄ねじ部３１ｂに緊結具３３の基端部に設けたねじ孔を螺着させ締め付ける。これによって、型枠板４３がセパレータ３０の座金３２と緊結具３３との間で挟持され、その下端がＬ型擁壁４０の後面側に堆積している土砂４４の上に載置された状態で固定される。
【００２２】
これによって、図２に示したように、２枚の型枠板４２、４３が所定の間隔をおいて対向して固定され、この型枠板４２、４３間に上方のみが開放した隙間部が形成される。そして、この隙間部にコンクリートを打設する。
【００２３】
コンクリートが固化したら、セパレータ２０、３０のそれぞれの緊結具２３、３３を取り外し、型枠板４２、４３を取り外す。その後、嵩上げされたコンクリート面から突出したセパレータロッド２１、３１の雄ねじ部を切り取ると共に、コーン２２を取り除く。その取り除いた部分には、モルタル等を塗って補修する。
【００２４】
以上の実施例において、型枠板４２、４３の間隔は、セパレータロッド２１、３１の長さを変えることによって変更できる。すなわち、構築するコンクリート構造物のコンクリート厚が変わっても、何種類かの長さのセパレータロッドを準備するだけで容易に対応できる。また、現場でセパレータロッドを所望の長さに切断しても良い。
【００２５】
また、セパレータ支持具１０の上下方向の位置は、図８に示すように、鉄筋４１に沿って調整可能である。したがって、型枠板４２、４３を固定するセパレータ２０、３０の上下方向の位置も調整可能であり、その位置を所定の高さとすることで、Ｌ型擁壁４０の上端部近傍で型枠板４２、４３を固定する場合に比べ、コンクリート打設時の応力に対する耐久性を向上させることができる。また、セパレータ支持具１０を１本の鉄筋４１に複数装着し、上下方向の複数箇所にセパレータを取り付け、型枠板を固定するようにしても良い。
【００２６】
図９は本発明のセパレータ支持具の別実施例を示す斜視図である。図９（ａ）に示すセパレータ支持具６０は６角柱の形状を有し、その中心に鉄筋４１を挿通するための挿通孔６１が開けられており、対向する１組の側面にそれぞれセパレータ支持手段としてねじ孔６２が設けられている。図９（ｂ）に示すセパレータ支持具７０は直方体の形状を有し、その中心に鉄筋４１を挿通するための挿通孔７１が開けられており、対向する１組の側面にそれぞれセパレータ支持手段としてねじ孔７２が設けられている。図９（ｃ）に示すセパレータ支持具８０はコ字型の形状を有し、その中心に鉄筋４１を挿通するための挿通孔８１が開けられており、対向する１組の垂下部にそれぞれセパレータ支持手段としてねじ孔８２が設けられている。
【００２７】
本発明のセパレータ支持具の形状は、上記実施例に限定されるものではなく、鉄筋に挿通可能でセパレータ支持手段を備えていれば、いかなる形状であっても良い。
【００２８】
図１０は本発明のセパレータ支持具におけるセパレータ支持手段の別実施例を示し、（ａ）は平面図、（ｂ）は正面図である。本実施例のセパレータ支持具９０におけるセパレータ支持手段は、セパレータ支持ボルト９１を利用したものである。このセパレータ支持ボルト９１をセパレータ１００の中途に設けた長孔１０１に貫通させ、セパレータ支持具９０に設けたねじ孔９２に螺着して締め付けることにより、セパレータ１００がセパレータ支持具９０に支持される。なお、本実施例では、セパレータ１００に長孔１０１を設けることで、セパレータ１００の位置調整を容易に行うことができる。
【００２９】
図１１は本発明のセパレータ支持具におけるセパレータ支持手段の別実施例を示し、（ａ）は平面図、（ｂ）は正面図である。本実施例のセパレータ支持具１１０におけるセパレータ支持手段は、ねじ孔１１１とセパレータ支持具１１０に固着されたセパレータ支持ナット１１２を利用したものである。一方のセパレータ１２０は、その先端の雄ねじ部をねじ孔１１１に螺着することにより支持される。他方のセパレータ１３０は全ねじのボルトからなり、セパレータ支持ナット１１２に螺着することにより支持される。本実施例では、セパレータ支持ナット１１２に全ねじのボルトからなるセパレータ１３０を螺着して支持するようにしたので、セパレータ支持具１１０と型枠板４２との間隔を自由に調整することができる。なお、図１１中の符号１４０はセパレータ支持具１１０を鉄筋４１に位置決めするための位置決めボルトである。
【００３０】
本発明のセパレータ支持具におけるセパレータ支持手段は、上記実施例に限定されるものではなく、例えば、セパレータ支持具に貫通孔を形成して、その貫通孔にセパレータを嵌着したり、セパレータをセパレータ支持具に接着材等によって接着するようにしても良い。
【産業上の利用可能性】
【００３１】
本発明は、コンクリート構造物の嵩上げ施工を始めとして、コンクリート構造物の各種構築施工に利用できる。
【図面の簡単な説明】
【００３２】
【図１】本発明のセパレータ支持具の一実施例を示し、（ａ）は斜視図、（ｂ）は（ａ）のＡ−Ａ断面図である。
【図２】図１のセパレータ支持具の使用状態を示す断面図である。
【図３】本発明のコンクリート構造物の構築工法の過程を示す説明図である。
【図４】本発明のコンクリート構造物の構築工法の過程を示す説明図である。
【図５】本発明のコンクリート構造物の構築工法の過程を示す説明図である。
【図６】本発明のコンクリート構造物の構築工法の過程を示す説明図である。
【図７】本発明のコンクリート構造物の構築工法の過程を示す説明図である。
【図８】本発明のセパレータ支持具の使用状態を示す斜視図である。
【図９】本発明のセパレータ支持具の別実施例を示す斜視図である。
【図１０】本発明のセパレータ支持具におけるセパレータ支持手段の別実施例を示し、（ａ）は平面図、（ｂ）は正面図である。
【図１１】本発明のセパレータ支持具におけるセパレータ支持手段の別実施例を示し、（ａ）は平面図、（ｂ）は正面図である。
【図１２】従来のコンクリート構造物の構築工法を示す概略断面図である。
【図１３】従来のコンクリート構造物の構築工法を示す概略斜視図である。
【符号の説明】
【００３３】
１０  セパレータ支持具
１１  挿通孔
１２、１３  ねじ孔
２０  セパレータ
２１  セパレータロッド
２２  コーン
２３  緊結具
３０  セパレータ
３１  セパレータロッド
３１ａ、３１ｂ  雄ねじ部
３２  座金
３３  緊結具
４０  Ｌ型擁壁（コンクリート構造物）
４１  鉄筋
４２、４３  型枠板
４４  土砂
５０  セパレータ
６０  セパレータ支持具
６１  挿通孔
６２  ねじ孔
７０  セパレータ支持具
７１  挿通孔
７２  ねじ孔
８０  セパレータ支持具
８１  挿通孔
８２  ねじ孔
９０  セパレータ支持具
９１  セパレータ支持ボルト
９２  ねじ孔
１００  セパレータ
１０１  長孔
１１０  セパレータ支持具
１１１  ねじ孔
１１２  セパレータ支持ナット
１２０、１３０  セパレータ
１４０  位置決めボルト
【図１】
2005023784.tif 000003
【図２】
2005023784.tif 000004
【図３】
2005023784.tif 000005
【図４】
2005023784.tif 000006
【図５】
2005023784.tif 000007
【図６】
2005023784.tif 000008
【図７】
2005023784.tif 000009
【図８】
2005023784.tif 000010
【図９】
2005023784.tif 000011
【図１０】
2005023784.tif 000012
【図１１】
2005023784.tif 000013
【図１２】
2005023784.tif 000014
【図１３】
2005023784.tif 000015